【手続補正書】
【提出日】平成28年7月4日(2016.7.4)
【手続補正１】
【補正対象書類名】明細書
【補正対象項目名】０１４６
【補正方法】変更
【補正の内容】
【０１４６】
本明細書に引用される特許、特許文献、及び刊行物の完全な開示内容を、あたかもそれぞれが個々に組み込まれたのと同様に、それらの全体を参照により組み込むものである。本発明の範囲及び趣旨から逸脱することなく、本発明の様々な改変及び変更が当業者には明らかとなるであろう。本発明は、本明細書に記載される例示的な実施形態及び実施例によって不当に限定されるものではない点、また、こうした実施例及び実施形態はあくまで例示を目的として示されるにすぎないのであって、本発明の範囲は本明細書において以下に記載する「特許請求の範囲」によってのみ限定されるものである点は理解すべきである。
本発明の実施態様の一部を以下の項目１−４９に列記する。
[１]
硬化性ポリハロオレフィン組成物であって、前記組成物が
ポリ塩化ビニルポリマーと、
カチオン性抗菌剤と、
可塑剤及び熱安定剤を含む基剤と、
を含み、前記カチオン性抗菌剤が前記基剤中で少なくとも部分的に可溶である、硬化性ポリハロオレフィン組成物。
[２]
前記カチオン性抗菌剤が少なくとも０．２重量％の濃度まで前記基剤中で可溶である、項目１に記載の組成物。
[３]
前記カチオン性抗菌剤が、小分子第四級アンモニウム、高分子カチオン性アミン、及びビグアニドのうちの少なくとも１種を含む、項目２に記載の組成物。
[４]
前記カチオン性抗菌剤が、オクテニジン、クロルヘキシジン塩、アレキシジン塩、ポリヘキサメチレンビグアニド塩、ベンザルコニウム塩、セチルピリジニウム塩、セトリモニウム塩、又はベンゼトニウム塩、及びこれらの組み合わせのうちの少なくとも１種を含む、項目３に記載の組成物。
[５]
前記抗菌剤が、塩化ベンザルコニウム、グルコン酸クロルヘキシジン、オクテニジン二塩酸塩、塩化セチルピリジニウム、臭化セトリモニウム、塩化ベンゼトニウム、ポリヘキサメチレンビグアニド塩、メチレンブルー、トルイジンブルー、ローズベンガル、クリスタルバイオレット、及びこれらの組み合わせのうちの１種以上を含む、項目３に記載の組成物。
[６]
前記カチオン性抗菌剤が、前記組成物の総重量を基準として１０重量％以下の濃度にて存在する、項目１〜５のいずれか一項に記載の組成物。
[７]
前記カチオン性抗菌剤が、前記組成物の総重量を基準として少なくとも０．２重量％の濃度にて存在する、項目６に記載の組成物。
[８]
前記熱安定剤の非存在下にてカチオン性抗菌剤が前記基剤中で０．１重量％未満の溶解度を有する、項目１〜７のいずれか一項に記載の組成物。
[９]
前記熱安定剤が一次熱安定剤を含み、前記一次熱安定剤が、亜鉛、カルシウム、バリウム、ストロンチウム、マグネシウム、錫、第四級アミン、又はこれらの組み合わせのアルキルカルボン酸塩を含む、項目１〜８のいずれか一項に記載の組成物。
[１０]
前記一次熱安定剤が、少なくとも前記カチオン性抗菌剤の濃度に等しい濃度にて存在する、項目９に記載の組成物。
[１１]
前記一次熱安定剤がジオクタン酸亜鉛を含み、前記ジオクタン酸亜鉛が、前記組成物の総重量を基準として５重量％以下かつ少なくとも０．５重量％の濃度にて存在する、項目１０に記載の組成物。
[１２]
前記熱安定剤が複数の一次熱安定剤を含む、項目１〜１１のいずれか一項に記載の組成物。
[１３]
前記熱安定剤パッケージが、アリール又はアルキルの亜リン酸塩を含む二次熱安定剤を含む、項目１〜１２のいずれか一項に記載の組成物。
[１４]
前記組成物が有機溶媒を更に含む、項目１〜１３のいずれか一項に記載の組成物。
[１５]
二次抗菌剤を更に含む、項目１〜１４のいずれか一項に記載の組成物。
[１６]
前記ポリマーが、前記組成物の総重量を基準として６０重量％以下の濃度にて存在する、項目１に記載の組成物。
[１７]
抗菌効力試験法に従って前記組成物が標的微生物を少なくとも１Ｌｏｇ減少させるものである、項目１に記載の組成物。
[１８]
硬化済み抗菌性組成物から少なくとも部分的に形成された露出表面を含む物品であって、前記組成物が、
ポリハロオレフィンポリマー、並びに、
前記ポリマー全体に混和されている熱安定剤、可塑剤、及びカチオン性抗菌剤を含む、物品。
[１９]
前記物品が医療物品である、項目１８に記載の物品。
[２０]
前記抗菌剤が基剤中で実質的に可溶であり、前記基剤が前記熱安定剤パッケージと前記可塑剤とを含む、項目１８又は１９に記載の物品。
[２１]
前記カチオン性抗菌剤が前記基剤中で少なくとも０．１重量％の濃度まで可溶である、項目１８又は１９に記載の物品。
[２２]
前記カチオン性抗菌剤が、小分子第四級アンモニウム、高分子カチオン性アミン、及びビグアニドのうちの少なくとも１種を含む、項目１８〜２１のいずれか一項に記載の物品。
[２３]
前記カチオン性抗菌剤が、オクテニジン、クロルヘキシジン塩、アレキシジン塩、ポリヘキサメチレンビグアニド塩、ベンザルコニウム塩、セチルピリジニウム塩、セトリモニウム塩、又はベンゼトニウム塩、及びこれらの組み合わせのうちの少なくとも１種を含む、項目２２に記載の物品。
[２４]
前記抗菌剤が、塩化ベンザルコニウム、グルコン酸クロルヘキシジン、オクテニジン二塩酸塩、塩化セチルピリジニウム、臭化セトリモニウム、塩化ベンゼトニウム、ポリヘキサメチレンビグアニド塩、及びこれらの組み合わせのうちの１種以上を含む、項目２３に記載の物品。
[２５]
前記物品が、音を送受信するように適合された音受信用部材と、前記音受信用部材に連結されて前記音受信用部材により送信された音を受信するヘッドセットと、を具備する聴診器であり、前記ヘッドセットがチューブを通して前記サウンド受信用部材に連結されており、前記チューブが前記硬化済み組成物から少なくとも部分的に形成されている、項目１８〜２４のいずれか一項に記載の物品。
[２６]
前記抗菌効力試験法に従って前記表面での速効的殺菌性が標的微生物を少なくとも１Ｌｏｇ減少させるものである、項目１８〜２５のいずれか一項に記載の物品。
[２７]
前記抗菌効力試験法に従って前記表面での速効的殺菌性が標的微生物を少なくとも３Ｌｏｇ減少させるものである、項目１８〜２６のいずれか一項に記載の物品。
[２８]
前記熱安定剤が一次熱安定剤を含み、前記一次熱安定剤が、亜鉛、錫、カルシウム、バリウム、ストロンチウム、マグネシウム、第四級アミン、又はこれらの組み合わせの塩を含む、項目１８〜２７のいずれか一項に記載の物品。
[２９]
前記一次熱安定剤が、少なくとも前記カチオン性抗菌剤の濃度に等しい濃度にて前記組成物中に存在する、項目２８に記載の物品。
[３０]
慣習的利用後に前記物品の前記表面に前記抗菌剤が再生する、項目１８〜２９のいずれか一項に記載の物品。
[３１]
抗菌性組成物の製造方法であって、前記方法が、
可塑剤と熱安定剤とを含む基剤を提供する工程と、
カチオン性抗菌剤を提供する工程と、
ポリハロオレフィンポリマー分散液を提供する工程と、
前記基剤、前記カチオン性抗菌剤、及び前記ポリマーを混合して硬化性組成物を作製する工程であって、前記カチオン性抗菌剤が前記基剤中で少なくとも０．１重量％の濃度まで可溶である、工程と、
を含む、抗菌性組成物の製造方法。
[３２]
前記熱安定剤の非存在下にて前記抗菌剤が前記基剤中で部分的に可溶でない、項目３１に記載の方法。
[３３]
前記カチオン性抗菌剤が、小分子第四級アンモニウム、高分子カチオン性アミン、及びビグアニドのうちの少なくとも１種を含む、項目３１又は３２に記載の方法。
[３４]
前記カチオン性抗菌剤が、オクテニジン、クロルヘキシジン塩、アレキシジン塩、ポリヘキサメチレンビグアニド塩、ベンザルコニウム塩、セチルピリジニウム塩、セトリモニウム塩、又はベンゼトニウム塩、及びこれらの組み合わせのうちの少なくとも１種を含む、項目３３に記載の方法。
[３５]
前記抗菌剤が、塩化ベンザルコニウム、グルコン酸クロルヘキシジン、オクテニジン二塩酸塩、塩化セチルピリジニウム、臭化セトリモニウム、塩化ベンゼトニウム、ポリヘキサメチレンビグアニド塩、及びこれらの組み合わせのうちの１種以上を含む、項目３４に記載の方法。
[３６]
前記カチオン性抗菌剤が、前記組成物の総重量を基準として１０重量％以下の濃度にて前記組成物中に存在する、項目３１〜３５のいずれか一項に記載の方法。
[３７]
前記カチオン性抗菌剤が、前記組成物の総重量を基準として少なくとも０．１重量％の濃度にて存在する、項目３１〜３６のいずれか一項に記載の方法。
[３８]
前記熱安定剤パッケージが、亜鉛、錫、カルシウム、バリウム、ストロンチウム、マグネシウム、又はこれらの組み合わせの塩を含む一次熱安定剤を含む、項目３１〜３７のいずれか一項に記載の方法。
[３９]
前記一次熱安定剤が、少なくとも前記カチオン性抗菌剤の濃度に等しい濃度にて存在する、項目３８に記載の方法。
[４０]
前記一次熱安定剤がジオクタン酸亜鉛を含み、前記ジオクタン酸亜鉛が前記組成物の総重量を基準として５重量％以下かつ少なくとも０．５重量％の濃度にて存在する、項目３８又は３９に記載の方法。
[４１]
前記熱安定剤がジオクタン酸亜鉛とオクタン酸とを含む、項目４０に記載の方法。
[４２]
前記熱安定剤パッケージが複数の一次熱安定剤を含む、項目３１〜４１のいずれか一項に記載の方法。
[４３]
前記プラスチゾルを少なくとも医療物品の一部に形成する工程を更に含む、項目３１〜４２のいずれか一項に記載の方法。
[４４]
前記物品が聴診器である、項目４３に記載の方法。
[４５]
前記形成する工程が前記硬化性組成物を加硫する工程を含み、加硫が前記ポリマー又は前記抗菌剤の実質的な劣化を引き起こさない、項目４３に記載の方法。
[４６]
前記ポリマーが、ポリ塩化ビニルのホモポリマー、及びポリ塩化ビニルと酢酸ビニルのコポリマー、並びにこれらの組み合わせのうちの１種以上を含む、項目３１〜４５のいずれか一項に記載の方法。
[４７]
前記硬化性組成物に二次抗菌剤を更に混合する、項目３１〜４６のいずれか一項に記載の方法。
[４８]
前記可塑剤がフタル酸塩を含まない、項目３１〜４７のいずれか一項に記載の方法。
[４９]
前記医療物品が、前記物品の表面に前記抗菌剤を補充することによって抗菌活性の延長を提供する、項目４３に記載の方法。
【手続補正２】
【補正対象書類名】特許請求の範囲
【補正対象項目名】全文
【補正方法】変更
【補正の内容】
【特許請求の範囲】
【請求項１】
硬化済み抗菌性組成物から少なくとも部分的に形成された露出表面を含む物品であって、前記組成物が、
ポリハロオレフィンポリマー、並びに、
前記ポリマー全体に混和されている熱安定剤、可塑剤、及びカチオン性抗菌剤を含む、物品。
【請求項２】
抗菌性組成物の製造方法であって、前記方法が、
可塑剤と熱安定剤とを含む基剤を提供する工程と、
カチオン性抗菌剤を提供する工程と、
ポリハロオレフィンポリマー分散液を提供する工程と、
前記基剤、前記カチオン性抗菌剤、及び前記ポリマーを混合して硬化性組成物を作製する工程であって、前記カチオン性抗菌剤が前記基剤中で少なくとも０．１重量％の濃度まで可溶である、工程と、
を含む、抗菌性組成物の製造方法。